(57)【要約】【課題】同一のデータに複数のスロットを割り当てて通信を行い、各スロットを介して受信したデータのいずれか１つを受信データとして選択する場合において、従来よりも正確に正しいスロットを選択し、通信品質及びスループットの向上を図る。【解決手段】前記各スロット毎にデータを受信する受信手段と、前記各スロット毎に受信したデータのシンボル間の位相差が所定の閾値を越えた場合に、当該閾値を越えたシンボルを計数する計数手段と、前記計数手段によって各スロット毎に算出された、前記閾値を越えたシンボルの計数値が最も小さいスロットを介して受信したデータを受信データとして選択する選択手段とを備える。【選択図】図２
2008109536.tif 000002
【特許請求の範囲】
【請求項１】
時分割多重接続方式及び位相偏移変調方式を採用し、同一のデータに複数のスロットを割り当てて通信を行い、各スロットを介して受信したデータのいずれか１つを受信データとして選択する無線通信システムにおいて、
前記各スロット毎にデータを受信する受信手段と、
前記各スロット毎に受信したデータのシンボル間の位相差が所定の閾値を越えた場合に、当該閾値を越えたシンボルを計数する計数手段と、
前記計数手段によって各スロット毎に算出された、前記閾値を越えたシンボルの計数値が最も小さいスロットを介して受信したデータを受信データとして選択する選択手段と、
を備えることを特徴とする無線通信システム。
【請求項２】
前記位相偏移変調方式として、π／４シフトＱＰＳＫ（Quadrature Phase Shift Keying）を採用し、
前記計数手段は、前記シンボル間の理論上の位相差θ０と任意の位相Ｘとからなる、
（θ０＋π／４−Ｘ）及び（θ０−π／４＋Ｘ）を前記閾値とし、前記シンボル間の位相差の実測値θが（θ０＋π／４−Ｘ）から（θ０＋π／４）までの範囲に含まれる場合、または（θ０−π／４＋Ｘ）から（θ０−π／４）までの範囲に含まれる場合に、前記計数を行う、
ことを特徴とする請求項１記載の無線通信システム。
【請求項３】
前記選択手段は、各スロット毎に受信したデータの誤り状態を判別し、全てのデータが同一の誤り状態であった場合に、前記計数値が最も小さいスロットを介して受信したデータを受信データとして選択する、
ことを特徴とする請求項１または２に記載の無線通信システム。
【請求項４】
前記選択手段は、受信したデータに含まれるユニークワード及びＣＲＣ(Cyclic Redundancy Check)符号に基づいて、前記データの誤り状態を判別する、
ことを特徴とする請求項３に記載の無線通信システム。
【請求項５】
時分割多重接続方式及び位相偏移変調方式を採用し、同一のデータに複数のスロットを割り当てて通信を行い、各スロットを介して受信したデータのいずれか１つを受信データとして選択する無線通信装置において、
前記各スロット毎にデータを受信する受信手段と、
前記各スロット毎に受信したデータのシンボル間の位相差が所定の閾値を越えた場合に、当該閾値を越えたシンボルを計数する計数手段と、
前記計数手段によって各スロット毎に算出された、前記閾値を越えたシンボルの計数値が最も小さいスロットを介して受信したデータを受信データとして選択する選択手段と、
を備えることを特徴とする無線通信装置。
【請求項６】
前記位相偏移変調方式として、π／４シフトＱＰＳＫ（Quadrature Phase Shift Keying）を採用し、
前記計数手段は、前記シンボル間の理論上の位相差θ０と任意の位相Ｘとからなる、
（θ０＋π／４−Ｘ）及び（θ０−π／４＋Ｘ）を前記閾値とし、前記シンボル間の位相差の実測値θが（θ０＋π／４−Ｘ）から（θ０＋π／４）までの範囲に含まれる場合、または（θ０−π／４＋Ｘ）から（θ０−π／４）までの範囲に含まれる場合に、前記計数を行う、
ことを特徴とする請求項５記載の無線通信装置。
【請求項７】
前記選択手段は、各スロット毎に受信したデータの誤り状態を判別し、全てのデータが同一の誤り状態であった場合に、前記計数値が最も小さいスロットを介して受信したデータを受信データとして選択する、
ことを特徴とする請求項５または６に記載の無線通信装置。
【請求項８】
前記選択手段は、受信したデータに含まれるユニークワード及びＣＲＣ(Cyclic Redundancy Check)符号に基づいて、前記データの誤り状態を判別する、
ことを特徴とする請求項７に記載の無線通信装置。
【請求項９】
時分割多重接続方式及び位相偏移変調方式を採用し、同一のデータに複数のスロットを割り当てて通信を行い、各スロットを介して受信したデータのいずれか１つを受信データとして選択する無線通信方法において、
前記各スロット毎にデータを受信する受信ステップと、
前記各スロット毎に受信したデータのシンボル間の位相差が所定の閾値を越えた場合に、当該閾値を越えたシンボルを計数する計数ステップと、
前記計数手段によって各スロット毎に算出された、前記閾値を越えたシンボルの計数値が最も小さいスロットを介して受信したデータを受信データとして選択する選択ステップと、
を有することを特徴とする無線通信方法。
【発明の詳細な説明】
【技術分野】
【０００１】
本発明は、無線通信システム、無線通信装置及び無線通信方法に関する。
【背景技術】
【０００２】
周知のように、無線通信方式の１つである時分割多重接続方式（ＴＤＭＡ：Time Division Multiple Access)とは、無線キャリアを一定の時間周期（この１周期分をフレームという）で複数のスロットと呼ばれる単位に分割し、通信を行う各ユーザにそれぞれ異なるスロットを通信チャネルとして割り当てる方式である（下記特許文献１参照）。このＴＤＭＡ方式では、複信方式として、下り回線と上り回線との通信周波数が異なる周波数分割複信方式（ＦＤＤ：Frequency Division Duplex）、または下り回線と上り回線との通信周波数が同一である時分割複信方式（ＴＤＤ：Time Division Duplex）が採用されている。
【０００３】
このようなＴＤＭＡ方式を使用して通信を行う基地局及び無線通信端末から構成される無線通信システムにおいて、通信品質を確保する技術の１つとして、スロットダイバーシチが知られている。このスロットダイバーシチとは、基地局と１つの端末との間で通常１つのスロットを用いて通信を行うところを、送信側は同一のデータを２つのスロットを用いて送信し、受信側は受信した２つのスロットのデータの内、誤り状態の良い方のスロットのデータを選択する方法である。
【０００４】
以下、スロットダイバーシチにおけるスロットの選択方法の一例を図６を用いて説明する。図６（ａ）において、第１ＴＣＨとは、スロットダイバーシチを適用した通信に用いる２つのスロット（トラフィックチャネル用のスロット）のうち一方のスロットであり、第２ＴＣＨとは他方のスロットである。また、ＵＷはユニークワードを示し、ＣＲＣ(Cyclic Redundancy Check)は巡回冗長検査符号を示す。例えば、第１ＴＣＨの誤り状態が「ＵＷ（○）／ＣＲＣ（○）」の場合、つまりＵＷ及びＣＲＣ共に正常なフレームであり、一方、第２ＴＣＨの誤り状態が「ＵＷ（○）／ＣＲＣ（×）」の場合、つまりＵＷは正常であるがＣＲＣはエラーのフレームであった場合、第１ＴＣＨを選択する。
【０００５】
図６（ａ）のようなスロット選択方法は、図６（ｂ）に示す優先順位に基づいて設定されている。すなわち、図６（ｂ）に示すように、ＣＲＣエラーの無いスロットが優先順位が高く、両方のスロット共にＣＲＣエラーが無い場合は、ＵＷエラーの有り無しで優先順位を決定する。また、図６（ａ）に示すように、両方のスロットの誤り状態が同じ場合、どちらか一方のスロットを任意に選択することになるが、その場合、図６（ｂ）に示すＲＳＳＩ（Received Signal Strength Indicator）レベルに基づいてスロットを選択する。
【特許文献１】特開２００１−１３６５７０号公報
【発明の開示】
【発明が解決しようとする課題】
【０００６】
上記のように、第１ＴＣＨと第２ＴＣＨの誤り状態が同じ場合、ＲＳＳＩレベルに基づいてどちらか一方のスロットを選択することになる。この場合、第１ＴＣＨと第２ＴＣＨのＲＳＳＩレベルが大きく異なる場合には、ＲＳＳＩレベルが大きい方に誤りが集中すると考えられるが、ＲＳＳＩレベルにほとんど差がない場合には、ＲＳＳＩレベルだけではどちらのスロットの方が誤りが少ないデータであるかを判別することができないため、正確に正しいスロットを選択することができなかった。その結果、通信品質及びスループットが悪化するという問題があった。
【０００７】
本発明は、上述した事情に鑑みてなされたものであり、同一のデータに複数のスロットを割り当てて通信を行い、各スロットを介して受信したデータのいずれか１つを受信データとして選択する場合において、従来よりも正確に正しいスロットを選択し、通信品質及びスループットの向上を図ることを目的とする。
【課題を解決するための手段】
【０００８】
上記目的を達成するために、本発明では、無線通信システムに係る第１の解決手段として、時分割多重接続方式及び位相偏移変調方式を採用し、同一のデータに複数のスロットを割り当てて通信を行い、各スロットを介して受信したデータのいずれか１つを受信データとして選択する無線通信システムにおいて、前記各スロット毎にデータを受信する受信手段と、前記各スロット毎に受信したデータのシンボル間の位相差が所定の閾値を越えた場合に、当該閾値を越えたシンボルを計数する計数手段と、前記計数手段によって各スロット毎に算出された、前記閾値を越えたシンボルの計数値が最も小さいスロットを介して受信したデータを受信データとして選択する選択手段とを備えることを特徴とする。
【０００９】
また、本発明では、無線通信システムに係る第２の解決手段として、上記第１の解決手段において、前記位相偏移変調方式として、π／４シフトＱＰＳＫ（Quadrature Phase Shift Keying）を採用し、前記計数手段は、前記シンボル間の理論上の位相差θ０と任意の位相Ｘとからなる、（θ０＋π／４−Ｘ）及び（θ０−π／４＋Ｘ）を前記閾値とし、前記シンボル間の位相差の実測値θが（θ０＋π／４−Ｘ）から（θ０＋π／４）までの範囲に含まれる場合、または（θ０−π／４＋Ｘ）から（θ０−π／４）までの範囲に含まれる場合に、前記計数を行うことを特徴とする。
【００１０】
また、本発明では、無線通信システムに係る第３の解決手段として、上記第１または第２の解決手段において、前記選択手段は、各スロット毎に受信したデータの誤り状態を判別し、全てのデータが同一の誤り状態であった場合に、前記計数値が最も小さいスロットを介して受信したデータを受信データとして選択することを特徴とする。
【００１１】
また、本発明では、無線通信システムに係る第４の解決手段として、上記第３の解決手段において、前記選択手段は、受信したデータに含まれるユニークワード及びＣＲＣ(Cyclic Redundancy Check)符号に基づいて、前記データの誤り状態を判別することを特徴とする。
【００１２】
一方、本発明では、無線通信装置に係る第１の解決手段として、時分割多重接続方式及び位相偏移変調方式を採用し、同一のデータに複数のスロットを割り当てて通信を行い、各スロットを介して受信したデータのいずれか１つを受信データとして選択する無線通信装置において、前記各スロット毎にデータを受信する受信手段と、前記各スロット毎に受信したデータのシンボル間の位相差が所定の閾値を越えた場合に、当該閾値を越えたシンボルを計数する計数手段と、前記計数手段によって各スロット毎に算出された、前記閾値を越えたシンボルの計数値が最も小さいスロットを介して受信したデータを受信データとして選択する選択手段とを備えることを特徴とする。
【００１３】
また、本発明では、無線通信装置に係る第２の解決手段として、上記第１の解決手段において、前記位相偏移変調方式として、π／４シフトＱＰＳＫ（Quadrature Phase Shift Keying）を採用し、前記計数手段は、前記シンボル間の理論上の位相差θ０と任意の位相Ｘとからなる、（θ０＋π／４−Ｘ）及び（θ０−π／４＋Ｘ）を前記閾値とし、前記シンボル間の位相差の実測値θが（θ０＋π／４−Ｘ）から（θ０＋π／４）までの範囲に含まれる場合、または（θ０−π／４＋Ｘ）から（θ０−π／４）までの範囲に含まれる場合に、前記計数を行うことを特徴とする。
【００１４】
また、本発明では、無線通信装置に係る第３の解決手段として、上記第１または第２の解決手段において、前記選択手段は、各スロット毎に受信したデータの誤り状態を判別し、全てのデータが同一の誤り状態であった場合に、前記計数値が最も小さいスロットを介して受信したデータを受信データとして選択することを特徴とする。
【００１５】
また、本発明では、無線通信装置に係る第４の解決手段として、上記第３の解決手段において、前記選択手段は、受信したデータに含まれるユニークワード及びＣＲＣ(Cyclic Redundancy Check)符号に基づいて、前記データの誤り状態を判別することを特徴とする。
【００１６】
さらに、本発明では、無線通信方法に係る解決手段として、時分割多重接続方式及び位相偏移変調方式を採用し、同一のデータに複数のスロットを割り当てて通信を行い、各スロットを介して受信したデータのいずれか１つを受信データとして選択する無線通信方法において、前記各スロット毎にデータを受信する受信ステップと、前記各スロット毎に受信したデータのシンボル間の位相差が所定の閾値を越えた場合に、当該閾値を越えたシンボルを計数する計数ステップと、前記計数手段によって各スロット毎に算出された、前記閾値を越えたシンボルの計数値が最も小さいスロットを介して受信したデータを受信データとして選択する選択ステップとを有することを特徴とする。
【発明の効果】
【００１７】
本発明によれば、同一のデータに複数のスロットを割り当てて通信を行い、各スロットを介して受信したデータのいずれか１つを受信データとして選択する場合において、従来よりも正確に正しいスロットを選択でき、通信品質及びスループットの向上を図ることが可能である。
【発明を実施するための最良の形態】
【００１８】
以下、図面を参照して本発明の一実施形態について詳細に説明する。図１に示すように、
本実施形態の無線通信システムは、基地局ＣＳと無線通信端末（以下端末と略す）ＰＳおよび図示しないネットワークから成り、基地局ＣＳと端末ＰＳは、時分割多重接続方式（ＴＤＭＡ）及び時分割複信方式（ＴＤＤ）を使用し、変調方式としてπ／４シフトＱＰＳＫ（Quadrature Phase Shift Keying）を使用して通信を行うものである。基地局ＣＳは、一定の距離間隔で複数設けられ、複数の端末ＰＳと上述したスロットダイバーシチを用いて無線通信を行う。以下では、スロットダイバーシチに使用するトラフィックチャネル用の２つのスロットの内、一方のスロットを第１ＴＣＨと称し、他方のスロットを第２ＴＣＨと称する。また、以下では、無線通信装置として基地局ＣＳを代表的に用いて説明する。
【００１９】
図２は、本実施形態における基地局ＣＳの構成ブロック図である。なお、説明の便宜上、図２では基地局ＣＳの受信機能に係わる構成を示し、送信機能に係わる構成については省略している。この図２に示すように、本基地局ＣＳは、第１の受信装置１、第２の受信装置２、スロット選択部３（選択手段）及びＡＤＰＣＭ（Adaptive Differential Pulse Code Modulation）コーデック４を備えている。また、第１の受信装置１は、第１のアンテナ１ａ、第１の受信部１ｂ（受信手段）、第１のカウンタ１ｃ（計数手段）及び第１のπ／４ＱＰＳＫ復調部１ｄから構成され、また、第２の受信装置２は、第２のアンテナ２ａ、第２の受信部２ｂ（受信手段）、第２のカウンタ２ｃ（計数手段）及び第２のπ／４ＱＰＳＫ復調部２ｄから構成されている。
【００２０】
上記第１の受信装置１は第１ＴＣＨ用の受信装置であり、第２の受信装置２は第２ＴＣＨ用の受信装置である。つまり、基地局ＣＳは、スロットと同数の受信装置を備えており、例えば上り回線及び下り回線共に４スロットずつ設けられている場合、受信装置も４つ設けられている。図２では、説明の便宜上、第１ＴＣＨ用及び第２ＴＣＨ用の受信装置のみを示し、他のスロット用の受信装置を省略している。
【００２１】
第１の受信装置１において、第１のアンテナ１ａは、端末ＰＳから上り回線の第１ＴＣＨを使用して送信されたデータ信号を受信し、当該受信したデータ信号を第１の受信部１ｂに出力する。なお、上記データ信号は、端末ＰＳ側でデジタル信号であるベースバンド信号をπ／４シフトＱＰＳＫによってデジタル変調することで生成された信号である。第１の受信部１ｂは、ＲＦ周波数帯である上記データ信号をＩＦ周波数帯に周波数変換し、第１の受信データ信号として第１のカウンタ１ｃに出力する。
【００２２】
第１のカウンタ１ｃは、上記第１の受信部１ｂから入力される第１の受信データ信号に基づいて、シンボル間の位相差が所定の閾値を越えた場合に、当該閾値を越えたシンボルをカウント（計数）し、当該カウント値を示す第１のカウント信号をスロット選択部３に出力すると共に、上記第１の受信データ信号を第１のπ／４ＱＰＳＫ復調部１ｄに出力する。なお、この第１のカウンタ１ｃにおけるカウント動作の詳細については後述する。第１のπ／４ＱＰＳＫ復調部１ｄは、上記第１のカウンタ１ｃから入力される第１の受信データ信号をデジタル信号に復調し、第１の受信ベースバンド信号としてスロット選択部３に出力する。
【００２３】
第２の受信装置２において、第２のアンテナ２ａは、端末ＰＳから上り回線の第２ＴＣＨを使用して送信されたデータ信号を受信し、当該受信したデータ信号を第２の受信部２ｂに出力する。なお、この第２ＴＣＨを使用して送信されたデータ信号は、上記第１ＴＣＨを使用して送信されたデータ信号と同一のベースバンド信号をπ／４シフトＱＰＳＫによってデジタル変調することで生成された信号である。第２の受信部２ｂは、ＲＦ周波数帯である上記データ信号をＩＦ周波数帯に周波数変換し、第２の受信データ信号として第２のカウンタ２ｃに出力する。
【００２４】
第２のカウンタ２ｃは、上記第２の受信部２ｂから入力される第２の受信データ信号に基づいて、シンボル間の位相差が所定の閾値を越えた場合に、当該閾値を越えたシンボルをカウントし、当該カウント値を示す第２のカウント信号をスロット選択部３に出力すると共に、上記第２の受信データ信号を第２のπ／４ＱＰＳＫ復調部２ｄに出力する。なお、この第２のカウンタ２ｃにおけるカウント動作の詳細については後述する。第２のπ／４ＱＰＳＫ復調部２ｄは、上記第２のカウンタ２ｃから入力される第２の受信データ信号をデジタル信号に復調し、第２の受信ベースバンド信号としてスロット選択部３に出力する。
【００２５】
スロット選択部３は、上記第１の受信ベースバンド信号、第２の受信ベースバンド信号、第１のカウント信号及び第２のカウント信号に基づいて、第１ＴＣＨと第２ＴＣＨとのどちらか一方のスロットを選択し、当該選択したスロットの受信ベースバンド信号をＡＤＰＣＭコーデック４に出力する。ＡＤＰＣＭコーデック４は、上記スロット選択部３から入力される受信ベースバンド信号にＡＤＰＣＭ方式による符号化（圧縮）を行い、圧縮データ信号を外部に配設されたネットワークＮに出力する。
【００２６】
次に、上記のように構成された本基地局ＣＳにおけるスロットダイバーシチのスロット選択動作について図３のフローチャートを用いて説明する。
【００２７】
まず、第１のアンテナ１ａは、端末ＰＳから上り回線の第１ＴＣＨを使用して送信されたデータ信号を受信し、当該受信したデータ信号を第１の受信部１ｂに出力する（ステップＳ１）。第１の受信部１ｂは、上記データ信号をＩＦ周波数帯に周波数変換し、第１の受信データ信号として第１のカウンタ１ｃに出力する。そして、第１のカウンタ１ｃは、上記第１の受信データ信号に基づいて、シンボル間の位相差が所定の閾値を越えた場合に、当該閾値を越えたシンボルをカウントし、当該カウント値を示す第１のカウント信号をスロット選択部３に出力する（ステップＳ２）。以下、この第１のカウンタ１ｃのカウント動作について詳細に説明する。
【００２８】
周知のように、π／４シフトＱＰＳＫとは、１回の変調（１シンボル）毎に、互いに４５度（π／４ラジアン）位相の異なるキャリアを用いて位相偏移変調を行う変調方式であり、位相偏移時に零点を通過しないため、受信にリミッタを使用することができ、振幅変動に強いことが特徴である。例えば、π／４シフトＱＰＳＫでは、図４（ａ）に示すように、複素平面上において、符号１０をある時刻ｔに受信した信号点（シンボル）とすると、信号点１０の次の時刻（ｔ＋１）に受信する信号点は、符号１１〜１４のように理論上信号点１０から±π／４または±３π／４位相が異なる位置に移動する。
【００２９】
しかしながら、実際にはノイズの影響により、各信号点１１〜１４の位置は図４（ａ）に示す位置からずれることになる。そこで、図４（ｂ）に示すように、複素平面上にリミッタライン２０及び３０を設けて複素平面を４分割し、領域４０内に位置する信号点を信号点１１と判別し、領域４１内に位置する信号点を信号点１２と判別し、領域４２内に位置する信号点を信号点１３と判別し、領域４３内に位置する信号点を信号点１４と判別する。具体的には、時刻ｔに受信した信号点１０を基準とすると、時刻（ｔ＋１）に受信した信号点の位相差の実測値θが、例えば３π／４±π／４の範囲内（つまり領域４２内）に含まれていれば、その信号点は信号点１３と判別する。
【００３０】
また、各信号点１１〜１４は、リミッタライン２０または３０に近づくほどノイズの影響を大きく受けていることになる。そこで、図５に示すように、リミッタライン２０に対して±Ｘラジアンの位相を有するサブリミッタライン２０ａ及び２０ｂを設け、また、同様にリミッタライン３０に対して±Ｘラジアンの位相を有するサブリミッタライン３０ａ及び３０ｂを設け、これらサブリミッタラインを越えてサブリミッタラインとリミッタラインとの間の領域（カウント対象領域）に入る信号点をカウントする。すなわち、シンボル間の理論上の位相差θ０と上記任意の位相Ｘとからなる、（θ０＋π／４−Ｘ）及び（θ０−π／４＋Ｘ）を閾値とし、シンボル間の位相差の実測値θが（θ０＋π／４−Ｘ）から（θ０＋π／４）までの範囲に含まれる場合、または（θ０−π／４＋Ｘ）から（θ０−π／４）までの範囲に含まれる場合に上記カウントを行う。
【００３１】
具体的には、時刻ｔに受信した信号点１０を基準とすると、時刻（ｔ＋１）に受信した信号点の位相差の実測値θが、（３π／４＋π／４−Ｘ）から（３π／４＋π／４）の範囲内（つまりカウント対象領域５０内）に含まれる場合、または（３π／４−π／４＋Ｘ）から（３π／４−π／４）の範囲内（つまりカウント対象領域６０内）に含まれる場合には、その信号点を信号点１３と判別すると共にカウント値をインクリメントする。他の信号点についても同様に、カウント対象領域に入った場合はカウント値をインクリメントする。このように、ステップＳ２では、第１ＴＣＨを介して取得した第１の受信データ信号に含まれるシンボルの中で、ノイズの影響を大きく受けている、つまり受信状態の悪いシンボル数をカウントすることになる。
【００３２】
続いて、第１のπ／４ＱＰＳＫ復調部１ｄは、上記第１のカウンタ１ｃから入力される第１の受信データ信号をデジタル信号に復調し、第１の受信ベースバンド信号としてスロット選択部３に出力する（ステップＳ３）。
【００３３】
一方、第２のアンテナ２ａは、端末ＰＳから上り回線の第２ＴＣＨを使用して送信されたデータ信号を受信し、当該受信したデータ信号を第２の受信部２ｂに出力する（ステップＳ４）。第２の受信部２ｂは、上記データ信号をＩＦ周波数帯に周波数変換し、第２の受信データ信号として第２のカウンタ２ｃに出力する。そして、第２のカウンタ２ｃは、上述したステップＳ２と同様な処理によって、シンボル間の位相差が所定の閾値を越えた場合に、当該閾値を越えたシンボルをカウントし、当該カウント値を示す第２のカウント信号をスロット選択部３に出力する（ステップＳ５）。つまり、ステップＳ５では、第２ＴＣＨを介して取得した第２の受信データ信号に含まれるシンボルの中で、ノイズの影響を大きく受けている、つまり受信状態の悪いシンボル数をカウントすることになる。
【００３４】
続いて、第２のπ／４ＱＰＳＫ復調部２ｄは、上記第２のカウンタ２ｃから入力される第２の受信データ信号をデジタル信号に復調し、第２の受信ベースバンド信号としてスロット選択部３に出力する（ステップＳ６）。
【００３５】
そして、スロット選択部３は、第１の受信ベースバンド信号及び第２の受信ベースバンド信号のＵＷ（ユニークワード）とＣＲＣ符号にエラーがあるか否かを判別し、第１の受信ベースバンド信号及び第２の受信ベースバンド信号の誤り状態が同一か否かを判定する（ステップＳ７）。つまり、このステップＳ７では、図６（ａ）に示す「任意」の状態か否かを判定する。このステップＳ７において、スロット選択部３は、第１の受信ベースバンド信号及び第２の受信ベースバンド信号の誤り状態が同一でない場合（「No」）、図６（ａ）に示すスロット選択基準に従って、第１ＴＣＨと第２ＴＣＨのいずれか一方を選択する（ステップＳ８）。
【００３６】
一方、ステップＳ７において、スロット選択部３は、第１の受信ベースバンド信号及び第２の受信ベースバンド信号の誤り状態が同一であった場合（「Yes」）、つまり図６（ａ）に示す「任意」の状態であった場合、第１のカウント信号及び第２のカウント信号に基づき、第１ＴＣＨを介して取得した第１の受信データ信号に含まれる受信状態の悪いシンボル数のカウント値Ｃ１が、第２ＴＣＨを介して取得した第２の受信データ信号に含まれる受信状態の悪いシンボル数のカウント値Ｃ２より小さいか否かを判定する（ステップＳ９）。
【００３７】
このステップＳ９において、スロット選択部３は、Ｃ１＜Ｃ２であった場合（「Yes」）、第１ＴＣＨを選択して第１の受信ベースバンド信号をＡＤＰＣＭコーデック４に出力し（ステップＳ１０）、一方、Ｃ１≧Ｃ２であった場合（「No」）、第２ＴＣＨを選択して第２の受信ベースバンド信号をＡＤＰＣＭコーデック４に出力する（ステップＳ１１）。
【００３８】
以上のように、本実施形態の基地局ＣＳによれば、第１ＴＣＨと第２ＴＣＨのＵＷ及びＣＲＣ符号の誤り状態が同じ場合に、受信データ信号に含まれる受信状態の悪いシンボル数が少ない方のスロットを選択するので、従来のＲＳＳＩレベルに基づいて選択する方法と比べて、正確に正しいスロットを選択することができ、その結果、通信品質の向上及びスループットの向上を図ることができる。
【００３９】
なお、上記実施形態では、無線通信装置として基地局ＣＳを例示して説明したが、端末ＰＳにも同様な構成を採用して良い。また、基地局ＣＳや端末ＰＳ以外の他の無線通信装置であっても、本発明を適用することができる。
【００４０】
また、上記実施形態では、２つのスロットを用いたスロットダイバーシチについて説明したが、これに限らず、２つ以上の複数のスロットを用いた場合であっても、本発明を適用することができる。
【００４１】
また、上記実施形態では、位相偏移変調方式としてπ／４シフトＱＰＳＫを例示して説明したが、これに限らず、他の位相偏移変調方式、例えばＢＰＳＫやＱＰＳＫ、８ＰＳＫなどを使用した場合でも、本発明を適用することができる。
【図面の簡単な説明】
【００４２】
【図１】本発明の一実施形態における無線通信システムの構成概略図である。
【図２】本発明の一実施形態における基地局ＣＳの構成ブロック図である。
【図３】本発明の一実施形態における基地局ＣＳの動作フローチャートである。
【図４】本発明の一実施形態における基地局ＣＳの第１の動作説明図である。
【図５】本発明の一実施形態における基地局ＣＳの第２の動作説明図である。
【図６】従来におけるスロットダイバーシチのスロット選択動作の説明図である。
【符号の説明】
【００４３】
ＣＳ…基地局、ＰＳ…無線通信端末、１…第１の受信装置、２…第２の受信装置、３…スロット選択部、４…ＡＤＰＣＭコーデック、１ａ…第１のアンテナ、１ｂ…第１の受信部、１ｃ…第１のカウンタ、１ｄ…第１のπ／４ＱＰＳＫ復調部、２ａ…第２のアンテナ、２ｂ…第２の受信部、２ｃ…第２のカウンタ、２ｄ…第２のπ／４ＱＰＳＫ復調部、Ｎ…ネットワーク
【図１】
2008109536.tif 000003
【図２】
2008109536.tif 000004
【図３】
2008109536.tif 000005
【図４】
2008109536.tif 000006
【図５】
2008109536.tif 000007
【図６】
2008109536.tif 000008